(57)【要約】【課題】高速な連写撮影が可能で、かつ、連写撮影期間において、画像処理のために必要なメモリバス帯域が許容範囲を超えることを抑えることが可能な撮像装置を提供することを目的とする。【解決手段】撮像部１から出力される画像データに対して画像処理を施す画像処理部３と、画像処理部３から出力される第１の画像データを表示用に圧縮して出力する表示圧縮部８−１と、画像処理部３から出力される第２の画像データを記録用に圧縮して出力する記録圧縮伸長部８−２と、第１の画像データの圧縮量に基づいて、表示圧縮部８−１において圧縮時に使用される表示テーブル１０２−１を生成する量子化テーブル生成部１０２と、量子化テーブル生成部１０２により生成される表示テーブル１０２−１に基づいて、記録圧縮伸長部８−２において圧縮時に使用される記録圧縮用量子化テーブル１０３−３を生成する量子化テーブル生成部１０３とを備えて撮像装置を構成する。【選択図】図２
2009159303.tif 000002
【特許請求の範囲】
【請求項１】
表示手段と、
被写体を撮像し画像データを出力する撮像手段と、
前記撮像手段から出力される画像データに対して画像処理を施し出力する画像処理手段と、
前記画像処理手段から出力される第１の画像データを表示用の画像データに圧縮して出力する表示圧縮手段と、
前記画像処理手段から出力される第２の画像データを記録用の画像データに圧縮して出力する記録圧縮手段と、
前記表示圧縮手段及び前記記録圧縮手段からそれぞれ出力される第１及び第２の画像データを記憶する記憶手段と、
前記記憶手段から読み出した第１の画像データを伸長して前記表示手段に出力する伸長手段と、
前記第１の画像データの圧縮量に基づいて、前記表示圧縮手段において圧縮時に使用される第１の量子化テーブルを生成する第１の量子化テーブル生成手段と、
前記第１の量子化テーブル生成手段により生成される第１の量子化テーブルに基づいて、前記記録圧縮手段において圧縮時に使用される第２の量子化テーブルを生成する第２の量子化テーブル生成手段と、
を備えることを特徴とする撮像装置。
【請求項２】
請求項１に記載の撮像装置であって、
前記第１の量子化テーブルは、前記第２の量子化テーブルと同じである、
ことを特徴とする撮像装置。
【請求項３】
請求項１または請求項２に記載の撮像装置であって、
前記第２の量子化テーブル生成手段は、前記画像処理手段から第２の画像データが出力される直前に前記画像処理手段から出力される第１の画像データの圧縮量に基づいて、前記第２の量子化テーブルを生成する、
ことを特徴とする撮像装置。
【請求項４】
請求項１〜３の何れか１項に記載の撮像装置であって、
前記第１の量子化テーブル生成手段は、前記第２の量子化テーブル生成手段において第２の量子化テーブルを生成する際に使用される圧縮率と異なる圧縮率に基づいて、前記第１の量子化テーブルを生成する、
ことを特徴とする撮像装置。
【発明の詳細な説明】
【技術分野】
【０００１】
本発明は、撮影機能やライブビュー機能を有する撮像装置に関する。
【背景技術】
【０００２】
従来のデジタルカメラでは、連写撮影を行う場合、連写撮影により得られた複数の画像データに対して、それぞれ、画像処理を施した後ディスプレイに表示したり、圧縮処理を行った後メモリに記録している。このときの圧縮処理は、例えば、ＪＰＥＧなどの可変長符号による符号化処理であり、その符号化処理の過程で決定された量子化テーブルを使って、連写撮影により得られた複数の画像データに対して、それぞれ、圧縮処理が行われる。
【０００３】
しかしながら、近年のデジタルカメラにおいては、高速な連続撮影、即ち連写を行いたいユーザの要求に応えるべく、単位時間当たりに処理しなければならない画像データ量が飛躍的に伸びてきており、ＬＳＩの負荷が増加している。これに対処するためにＬＳＩの処理周波数を上げると消費電力が増加し、膨大な画像データを処理するために記憶部、即ちメモリバス帯域を広げると、ＬＳＩのデータ入出力ピンやメモリ容量が増加してコストが増大してしまう。
【０００４】
そこで、例えば、記録用の画像データの圧縮処理を行う圧縮機能を使って表示用の画像データに対して圧縮処理を行うことによりデータ量を削減する撮像装置がある（例えば、特許文献１参照）。
【０００５】
また、例えば、表示用の画像データに基づいて量子化テーブルを予め生成しておき、その量子化テーブルを使って連写撮影により得られる複数の画像データに対して、それぞれ、圧縮処理を行うことにより全体の圧縮処理を高速化させる撮像装置がある（例えば、特許文献２参照）
図７は、予め生成しておいた量子化テーブルを使って連写撮影により得られる複数の画像データに対して、それぞれ、圧縮処理を行う撮像装置の動作タイミングチャート及びメモリバス帯域を示す図である。
【０００６】
図７に示す例の撮像装置は、ライブビュー期間、露光調整後の撮影画像データを撮像部から読み出して画像処理を施した後、その画像処理後の画像データを表示ユニットに表示させるという動作を繰り返している。なお、ライブビュー期間において、ａ期間のメモリバス帯域は、「画像処理」及び「表示処理」で処理される画像データに使用され、ｂ期間のメモリバス帯域は、「表示処理」で処理される画像データに使用されている。
【０００７】
また、撮像装置は、連写撮影期間、露光調整後の撮影画像データを撮像部から読み出して画像処理を施した後、その画像処理後の画像データから生成した量子化テーブルに基づいて、画像処理後の画像データに対して圧縮処理を行い記録媒体に記録するという動作を繰り返している。なお、連写撮影期間において、ｃ期間のメモリバス帯域は、「画像処理」及び「表示処理」で処理される画像データに使用され、ｄ期間のメモリバス帯域は、「画像処理」、「表示処理」、及び「圧縮処理」で処理される画像データに使用され、ｅ期間のメモリバス帯域は、「表示処理」及び「圧縮処理」で処理される画像データに使用され、ｆ期間のメモリバス帯域は、「表示処理」及び「記録処理」で処理される画像データに使用されている。
【０００８】
また、撮像装置は、連写撮影期間において、２枚目以降の画像処理後の画像データに対して、それぞれ、１枚目の画像処理後の画像データの圧縮処理時に生成した量子化テーブルを使って圧縮処理を行っている。
【０００９】
これにより、２枚目以降の画像処理後の画像データの圧縮処理の度に量子化テーブルを新たに生成する必要がないので、その分、連写撮影期間における圧縮処理時間を短縮することができ、連写撮影を高速化させることができる。
【特許文献１】特開２００４−１０４２２２号公報
【特許文献２】特開２００２−１１２０８６号公報
【発明の開示】
【発明が解決しようとする課題】
【００１０】
しかしながら、上述のように、記録用の画像データの圧縮処理を行う圧縮手段を使って表示用の画像データに対して圧縮処理を行う場合は、表示用の画像データと記録用の画像データに対して同時に圧縮処理を行うことができず、近年の高速な連写撮影において圧縮処理が追従できなくなり、高速な連写撮影ができなくなるおそれがある。
【００１１】
また、上述のように、予め生成しておいた量子化テーブルを使って連写撮影により得られた複数の画像データに対して、それぞれ圧縮処理を行う場合、連写撮影期間が長くなると、量子化テーブル作成時の画像データと複数枚撮影後の画像データとの時間的な相関性が薄れ、複数枚撮影後の画像データの圧縮量が量子化テーブル生成時の画像データの圧縮量に比べて大きく変動し、図７に示すように、連写開始時から大幅な時間間隔を置いて撮影されるＮ枚目の画像データ圧縮処理期間（ｄ′期間）において、メモリバス帯域が許容範囲（Ｍａｘ帯域）を超えるおそれがある。
【００１２】
そこで、本発明では、高速な連写撮影が可能で、かつ、連写撮影期間においてメモリバス帯域が許容範囲を超えることを抑えることが可能な撮像装置を提供することを目的とする。
【課題を解決するための手段】
【００１３】
上記の課題を解決するために本発明では、以下のような構成を採用した。
すなわち、本発明の撮像装置は、表示手段と、被写体を撮像し画像データを出力する撮像手段と、前記撮像手段から出力される画像データに対して画像処理を施し出力する画像処理手段と、前記画像処理手段から出力される第１の画像データを表示用の画像データに圧縮して出力する表示圧縮手段と、前記画像処理手段から出力される第２の画像データを記録用の画像データに圧縮して出力する記録圧縮手段と、前記表示圧縮手段及び前記記録圧縮手段からそれぞれ出力される第１及び第２の画像データを記憶する記憶手段と、前記記憶手段から読み出した第１の画像データを伸長して前記表示手段に出力する伸長手段と、前記第１の画像データの圧縮量に基づいて、前記表示圧縮手段において圧縮時に使用される第１の量子化テーブルを生成する第１の量子化テーブル生成手段と、前記第１の量子化テーブル生成手段により生成される第１の量子化テーブルに基づいて、前記記録圧縮手段において圧縮時に使用される第２の量子化テーブルを生成する第２の量子化テーブル生成手段とを備える。
【００１４】
また、前記第１の量子化テーブルは、前記第２の量子化テーブルと同じであってもよい。
また、前記第２の量子化テーブル生成手段は、前記画像処理手段から第２の画像データが出力される直前に前記画像処理手段から出力される第１の画像データの圧縮量に基づいて、前記第２の量子化テーブルを生成するように構成してもよい。
【００１５】
また、前記第１の量子化テーブル生成手段は、前記第２の量子化テーブル生成手段において第２の量子化テーブルを生成する際に使用される圧縮率と異なる圧縮率に基づいて、前記第１の量子化テーブルを生成するように構成してもよい。
【発明の効果】
【００１６】
本発明によれば、撮影機能やライブビュー機能を有する撮像装置において、連写撮影を高速化することができるとともに、連写撮影期間においてメモリバス帯域が許容範囲を超えることを抑えることができる。
【発明を実施するための最良の形態】
【００１７】
以下、図面を用いて本発明の実施形態を説明する。
図１は、本発明の実施形態の撮像装置のハードウェア構成を示す図である。
図１に示す撮像装置は、例えば、デジタルスチルカメラであって、撮像部１と、信号処理部２と、記憶部７と、表示ユニット１１と、記録媒体１２とを備えて構成されている。なお、不図示の操作スイッチがユーザなどに操作されると、撮像装置の全体の動作を制御する制御回路により撮像装置内の各ブロックが初期設定されるものとする。
【００１８】
上記信号処理部２は、画像処理部３と、記憶制御部４と、表示圧縮部８−１及び記録圧縮伸長部８−２を有する画像データ圧縮部８と、伸長部１０とを備えて構成されている。
図２は、表示圧縮部８−１を示す図である。
【００１９】
図２に示す表示圧縮部８−１は、圧縮部１０１と、量子化テーブル生成部１０２と、量子化テーブル生成部１０３と、圧縮量検出部１０４とを備えて構成されている。
上記量子化テーブル生成部１０２は、表示テーブル１０２−１（第１の量子化テーブル）と、量子化テーブルに任意倍率を乗算し倍率を変えるスケーリングファクター（以降ＳＦとする）１０２−２と、倍率決定部１０２−３と、表示圧縮用量子化テーブル１０２−４と、乗算器１０２−５とを備えて構成されている。
【００２０】
上記量子化テーブル生成部１０３は、記録テーブル１０３−１と、ＳＦ１０３−２と、記録圧縮用量子化テーブル１０３−３（第２の量子化テーブル）と、乗算器１０３−４とを備えて構成されている。
【００２１】
なお、表示テーブル１０２−１、表示圧縮用量子化テーブル１０２−４、記録テーブル１０３−１、及び記録圧縮用量子化テーブル１０３−３は、それぞれ、８×８配列からなるテーブルであり、撮像装置の電源投入時に撮像装置の全体の動作を制御する制御回路により初期設定がされるものとする。
【００２２】
図３Ａは、圧縮部１０１を示す図である。
図３Ａに示す圧縮部１０１は、ＤＣＴ変換部１０１−１と、量子化部１０１−２と、ハフマン符号化部１０１−３とを備えて構成されている。
【００２３】
図３Ｂは、記録圧縮伸長部８−２を示す図である。なお、図２または図３Ａに示す構成と同じ構成には同じ符号を付している。
図３Ｂに示す記録圧縮伸長部８−２は、ＤＣＴ変換部１０１−１と、量子化部１０１−２と、ハフマン符号化部１０１−３と、伸長部８−３とを備えて構成されている。
【００２４】
上記撮像部１は、ＣＭＯＳイメージャなどの撮像素子が内蔵されており、その撮像素子に結像した被写体の画像を各画素毎に電気信号に変換し、例えばベイヤー配列の画像データを生成する。また、不図示のシャッタボタンが押されていない場合、撮像部１は、表示ユニット１１に表示可能な解像度を保ちながら画素を間引きするように表示用の画像データを生成する。一方、不図示のシャッタボタンが押されると、撮像部１は、予め設定された連写撮影枚数分の画像データを全解像度で生成するとともに、連写撮影の合間に画素を間引きした表示用の画像データを生成する。本実施形態では、連写撮影の合間に表示用の画像データを３枚連続して生成するものとする。
【００２５】
上記信号処理部２は、撮像部１で生成される表示用の画像データ及び記録用の画像データに対して、それぞれ、前処理としてホワイトバランス、ニー補正、画素欠陥補正、及びシェーディング補正などの画像処理を施した後、記憶制御部４を介して一旦記憶部７に記憶する。なお、記憶部７は、例えば、ＳＤＲＡＭなどのメモリデバイスとする。また、信号処理部２は、一旦記憶部７に記憶した表示用の画像データ及び記録用の画像データを読み出し、それら画像データに対して、それぞれ、後処理としてＹＣ生成、色補正、階調補正、及び解像度変換などの画像処理を施し、画像処理後の表示用の画像データとして第１の画像データを出力するとともに、画像処理後の記録用の画像データとして第２の画像データを出力する。
【００２６】
上記画像データ圧縮部８は、信号処理部２から出力される第１及び第２の画像データに対して、それぞれ、ＪＰＥＧ圧縮処理を行った後、記憶制御部４を介して一旦記憶部７に記憶する。
【００２７】
上記圧縮部１０１は、信号処理部２から出力される第１の画像データに対して、ＤＣＴ変換部１０１−１においてＤＣＴ演算を行い時間領域から周波数領域に変換した後、量子化部１０１−２において量子化テーブル生成部１０２で生成される表示圧縮用量子化テーブル１０２−４を使用して量子化処理を行い、さらに、ハフマン符号化部１０１−３において発生頻度に基づくハフマン符号化を行う。
【００２８】
上記圧縮量検出部１０４は、圧縮部１０１で圧縮された第１の画像データ毎に圧縮量を検出し、その検出した圧縮量を倍率決定部１０２−３に出力する。
上記倍率決定部１０２−３は、圧縮量検出部１０４から出力される圧縮量が適正範囲内であるか否かを判断し、圧縮量が適正範囲内であると判断した場合、ＳＦ１０２−２に圧縮のための倍率の選択指示を行うための指示信号を出力する。
【００２９】
上記ＳＦ１０２−２は、ＳＦ１０２−２から出力される指示信号に対応する倍率を予め設定される複数の倍率の中から選択し、その選択した倍率を乗算器１０２−５に出力する。
【００３０】
上記乗算器１０２−５は、ＳＦ１０２−２から出力される倍率で、表示テーブル１０２−１の各パラメータに対して乗算を行い、表示用量子化テーブル１０２−４及び記録テーブル１０３−１を生成する。この表示用量子化テーブル１０２−４は、次の表示用量子化テーブル１０２−４を生成する際に使用される表示テーブル１０２−１として更新される。
【００３１】
上記記録圧縮伸長部８−２の乗算器１０３−４は、ＳＦ１０３−２から出力される所定の倍率で、量子化テーブル生成部１０２から出力される記録テーブル１０３−１の各パラメータに対して乗算を行うことにより記録圧縮用量子化テーブル１０３−３を生成し、記録圧縮伸長部８−２に出力する。なお、ＳＦ１０３−２から出力される倍率は、ＳＦ１０２−２から出力される倍率と同じであっても、異なっていてもよい。
【００３２】
上記記録圧縮伸長部８−２は、画像処理部３から出力される第２の画像データに対して、表示圧縮部８−１と同様に、ＪＰＥＧ圧縮処理を行った後、記憶制御部４を介して一旦記憶部７に記憶する。この圧縮処理では、表示圧縮部８−１で生成される記録圧縮用量子化テーブル１０３−３が使用される。また、記録圧縮伸長部８−２は、一旦記憶部７に記憶した第２の画像データを記憶制御部４を介して読み出し記録媒体１２に記録する。また、記録圧縮伸長部８−２は、伸長部８−３において、記憶部７から読み出した第２の画像データに対して、伸長処理を行う。この伸長処理は、ＪＰＥＧ圧縮処理と逆の処理、すなわち、第２の画像データに対して、ハフマン復号、逆量子化、逆ＤＣＴ変換を順に行う。このとき、記録媒体１２に記録されている第２の画像データは、記憶制御部４を介して一旦記憶部７に記憶された後、記録圧縮伸長部８−２により記憶部７から記憶制御部４を介して読み込まれ伸長処理が施される。
【００３３】
上記伸長部１０は、表示圧縮部８−１で圧縮処理が行われ、一旦記憶部７に記憶された第１の画像データを記憶制御部４を介して読み出してＪＰＥＧ伸長処理を行う。この伸長処理が施された第１の画像データは、表示ユニット１１に出力され表示される。
【００３４】
次に、本実施形態の撮像装置の動作を説明する。
まず、撮像部１から出力される画像データが画像処理部３において画像処理が施された後、その画像処理後の画像データに対して、表示圧縮部８−１と記録圧縮伸長部８−２とにより並列に圧縮処理が行われる。
【００３５】
次に、表示圧縮部８−１は、画像データ毎に検出した圧縮量に基づいて表示テーブル１０２−１を更新し、その表示テーブル１０２−１に基づいて表示圧縮用量子化テーブル１０２−４を生成し、その表示圧縮用量子化テーブル１０２−４に基づいて画像データ毎に圧縮処理を行う。また、表示圧縮部８−１では、生成した表示テーブル１０２−１に基づいて記録圧縮用量子化テーブル１０３−３を生成する。記録圧縮伸長部８−２は、表示圧縮部８−１で生成された記録圧縮用量子化テーブル１０３−３を使って画像データに対して圧縮処理を行う。なお、記録圧縮用量子化テーブル１０３−３は、表示圧縮用量子化テーブル１０３−４と同じであってもよい。
【００３６】
そして、表示圧縮部８−１において圧縮処理が行われた画像データ及び記録圧縮伸長部８−２において圧縮処理が行われた画像データは、それぞれ、記憶制御部４を介して一旦記憶部７に記憶される。その後、記憶部７から表示用の画像データと記録用の画像データが読み出され、表示用の画像データは、伸長部１０において伸長処理された後、表示ユニット１１に伝送され、記録用の画像データは、記録媒体１２に伝送される。
【００３７】
図４は、表示圧縮部８−１の動作を説明するためのフローチャートである。また、図５は、フレーム数と圧縮量との関係を示す図である。
まず、表示圧縮部８−１は、動作を開始すると（ステップＳ１００）、撮像装置の全体の動作を制御する制御部から送られてくる初期値を設定する（ステップＳ１０１）。
【００３８】
次に、表示圧縮部８−１は、画像処理部３から出力される第１の画像データを入力すると（ステップＳ１０２）、圧縮部１０１において、第１の画像データに対して、圧縮処理を行う（ステップＳ１０３）。
【００３９】
次に、表示圧縮部８−１は、圧縮処理が終了したか否かを判断し（ステップＳ１０４）、圧縮処理が終了したと判断した場合（ステップＳ１０４がＹｅｓ）、圧縮量検出部１０４において圧縮量を検出する（ステップＳ１０５）。
【００４０】
次に、表示圧縮部８−１は、検出した圧縮量が、図５に示す適正範囲内であるか否かを判断する（ステップＳ１０６）。
検出した圧縮量が適正範囲内であると判断した場合（ステップＳ１０６がＹｅｓ）、表示圧縮部８−１は、ステップＳ１０２に戻り、画像処理部３から出力される次の第１の画像データに対して、ステップＳ１０３〜Ｓ１０６の動作を行う。
【００４１】
一方、検出した圧縮量が適正範囲内でないと判断した場合（ステップＳ１０６がＮｏ）、表示圧縮部８−１は、検出した圧縮量が、図５に示す適正範囲最大値Ｓよりも大きいか否かを判断する（ステップＳ１０７）。
【００４２】
検出した圧縮量が適正範囲最大値Ｓよりも大きいと判断した場合（ステップＳ１０７がＹｅｓ）、表示圧縮部８−１は、検出した圧縮量が、図５に示す適正最大値Ｘよりも大きいか否かを判断する（ステップＳ１０８）。
【００４３】
検出した圧縮量が適正最大値Ｘよりも大きいと判断した場合（ステップＳ１０８がＹｅｓ）、表示圧縮部８−１は、図５に示すように、表示テーブル１０２−１内の各パラメータが１／Ｍ倍になるように、ＳＦ１０２−２の倍率を変更して（ステップＳ１１０）、表示テーブル１０２−１を更新した後（ステップＳ１１４）、ステップＳ１０３に戻り、前回圧縮処理を行った第１の画像データに対して、再度、ステップＳ１０３〜Ｓ１０６の動作を行う。
【００４４】
一方、検出した圧縮量が適正最大値Ｘよりも大きくないと判断した場合（ステップＳ１０８がＮｏ）、表示圧縮部８−１は、表示テーブル１０２−１内の各パラメータが１／ｎ倍になるように、ＳＦ１０２−２の倍率を変更して（ステップＳ１１１）、表示テーブル１０２−１を更新した後（ステップＳ１１４）、ステップＳ１０３に戻り、前回圧縮処理を行った第１の画像データに対して、再度、ステップＳ１０３〜Ｓ１０６の動作を行う。
【００４５】
また、検出した圧縮量が適正範囲最大値Ｓよりも大きくないと判断した場合（ステップＳ１０７がＮｏ）、表示圧縮部８−１は、検出した圧縮量が適正最小値ｘよりも小さいか否かを判断する（ステップＳ１０９）。
【００４６】
検出した圧縮量が適正最小値ｘよりも小さいと判断した場合（ステップＳ１０９がＹｅｓ）、表示圧縮部８−１は、表示テーブル１０２−１内の各パラメータがＭ倍になるように、ＳＦ１０２−２の倍率を変更して（ステップＳ１１２）、表示テーブル１０２−１を更新した後（ステップＳ１１４）、ステップＳ１０３に戻り、前回圧縮処理を行った第１の画像データに対して、再度、ステップＳ１０３〜Ｓ１０６の動作を行う。
【００４７】
一方、検出した圧縮量が適正最小値ｘよりも小さくないと判断した場合（ステップＳがＮｏ）、表示圧縮部８−１は、表示テーブル１０２−１内の各パラメータがｍ倍になるように、ＳＦ１０２−２の倍率を変更して（ステップＳ１１３）、表示テーブル１０２−１を更新した後（ステップＳ１１４）、ステップＳ１０３に戻り、前回圧縮処理を行った第１の画像データに対して、再度、ステップＳ１０３〜Ｓ１０６の動作を行う。
【００４８】
このように、本実施形態の撮像装置では、記録圧縮伸長部８−２の他に表示圧縮部８−１をさらに備え、その表示圧縮部８−１において、画像処理部３から第１の画像データが出力される度に、その第１の画像データの圧縮処理時の圧縮量が適正範囲になるように表示テーブル１０２−１を更新し、その表示テーブル１０２−１に基づいて記録圧縮用量子化テーブル１０３−３を生成しているので、圧縮処理後の第２の画像データのデータ量を常に最適にすることができる。これにより、画像処理部３から第２の画像データが出力される度に、その第２の画像データの圧縮処理時に使用される量子化テーブルを最適に更新する必要がないため、その分、連写撮影期間における圧縮処理時間を短縮することができ、連写撮影を高速化させることができる。
【００４９】
また、本実施形態の撮像装置では、表示圧縮部８−１において、第２の画像データが画像処理部３から出力される直前に画像処理部３から出力される第１の画像データの圧縮量に基づいて表示テーブル１０２−１を生成し、その表示テーブル１０２−１に基づいて記録圧縮用量子化テーブル１０３−３を生成しているので、連写撮影期間が長くなっても、記録圧縮用量子化テーブル１０３−３を最適に保つことができる。これにより、一度生成した量子化テーブルを全ての画像データの圧縮処理に使用する場合に比べて、連写開始時から大幅な時間間隔を置いて撮影されるＮ枚目の画像データに対して量子化テーブルが最適なものでなくなり、第２の画像データの圧縮量が大きく変動することがないので、図６に示す本実施形態の撮像装置におけるメモリバス帯域のように、連写撮影期間のｄ′期間（「画像処理」、「表示処理」、及び「圧縮処理」）など処理が集中する期間においてメモリバス帯域が適正範囲を超えることを抑えることができる。
【図面の簡単な説明】
【００５０】
【図１】本発明の実施形態の撮像装置を示す図である。
【図２】表示圧縮部を示す図である。
【図３Ａ】圧縮部を示す図である。
【図３Ｂ】記録圧縮伸長部を示す図である。
【図４】量子化テーブル生成部の動作を説明するためのフローチャートである。
【図５】フレーム数と圧縮量との関係を示す図である。
【図６】本実施形態の撮像装置の動作タイミングチャート及びメモリバス帯域を示す図である。
【図７】従来の撮像装置の動作タイミングチャート及びメモリバス帯域を示す図である。
【符号の説明】
【００５１】
１  撮像部
２  信号処理部
３  画像処理部
４  記憶制御部
７  記憶部
８  圧縮部
８−１  表示圧縮部
８−２  記録圧縮伸長部
８−３  伸長部
１０  伸長部
１１  表示ユニット
１２  記録媒体
１０１  圧縮部
１０１−１  ＤＣＴ変換部
１０１−２  量子化部
１０１−３  ハフマン符号化部
１０２  量子化テーブル生成部
１０２−１  表示テーブル
１０２−２  ＳＦ
１０２−３  倍率決定部
１０２−４  表示圧縮用量子化テーブル
１０２−５  乗算器
１０３  量子化テーブル生成部
１０３−１  記録テーブル
１０３−２  ＳＦ
１０３−３  記録圧縮用量子化テーブル
１０３−４  乗算器
１０４  圧縮量検出部
【図１】
2009159303.tif 000003
【図２】
2009159303.tif 000004
【図３Ａ】
2009159303.tif 000005
【図３Ｂ】
2009159303.tif 000006
【図４】
2009159303.tif 000007
【図５】
2009159303.tif 000008
【図６】
2009159303.tif 000009
【図７】
2009159303.tif 000010